(57)【要約】      （修正有）【課題】花の茎や枝の幹等の植物の軸部を安定して保持することができ、花や枝の下端を傷付けることがなく、花や枝の品質を長期間保つことができる植物の保持具及び花器を提供する。【解決手段】植物の保持具１は、筒状部２ａと底部とを備える上方開口の容器状のケース２と、ケース２の内部空間に水平状態に固定され、植物の軸部が貫通する複数の保持孔３ｂ，４ｂを有する保持部材３，４とを備える。保持部材３，４は、ケース２の内部空間に複数個平行状態に固定され、ケースの筒状部２ａは、その上部に指等を係合できる取っ手部７が貫通して形成されている。保持部材３，４の保持孔３ｂ，４ｂは、ハニカム状に形成される。花器１０は植物の保持具１と、保持具を上部開口１２から収容できる容器１１とから構成される。【選択図】図７
0003189573.tif 000002
【実用新案登録請求の範囲】
【請求項１】
筒状部と底部とを備える上方開口の容器状のケースと、該ケースの内部空間に水平状態に固定され、植物の軸部が貫通する複数の保持孔を有する保持部材と、を備えることを特徴とする植物の保持具。
【請求項２】
前記保持部材は、前記ケースの内部空間に複数個平行状態に固定されることを特徴とする請求項１に記載の植物の保持具。
【請求項３】
前記ケースの筒状部は、その内周面に内方に向かって突出し、前記保持部材を固定する複数の突起を備えることを特徴とする請求項１又は２に記載の植物の保持具。
【請求項４】
前記保持部材は、前記突起が通過可能の切欠き部を有することを特徴とする請求項３に記載の植物の保持具。
【請求項５】
前記ケースの筒状部は、その上端に前記保持部材を固定する係止溝を備えることを特徴とする請求項１に記載の植物の保持具。
【請求項６】
前記ケースの筒状部は、内周方向に突出する円周状の突条を備えることを特徴とする請求項１〜５のいずれかに記載の植物の保持具。
【請求項７】
前記ケースの筒状部は、その上部に指等を係合できる取っ手部が貫通して形成されていることを特徴とする請求項１〜６のいずれかに記載の植物の保持具。
【請求項８】
前記ケースの底部は、凹凸面で形成され、段差部を有することを特徴とする請求項１〜７のいずれかに記載の植物の保持具。
【請求項９】
前記ケースは、前記段差部の側面に貫通孔を備えることを特徴とする請求項８に記載の植物の保持具。
【請求項１０】
前記保持部材の保持孔は、ハニカム状に形成されることを特徴とする請求項１〜９のいずれかに記載の植物の保持具。
【請求項１１】
請求項１〜１０のいずれかに記載の植物の保持具と、該保持具を上部開口から収容可能の容器とから構成されることを特徴とする花器。
【考案の詳細な説明】
【技術分野】
【０００１】
本考案は、生け花等で使用する植物の保持具に係り、例えば、生け花で使用する花の茎や枝の幹等の軸部をバランス良く保持する植物の保持具と、これを用いた花器に関する。
【背景技術】
【０００２】
従来、この種の生け花用の花の挿し込み具としては、花を挿し立てる異径の花挿し孔を複数個有する花挿し器を備え、花器の底面に設けた少なくとも１カ所以上の貫通孔を封止する蓋とを備え、この蓋に花挿し器の脚部下端を接合した花挿し器付花器がある（例えば、特許文献１参照）。
また、生け花やフラワーアレンジメントを行うとき、生け花用ネットに脚部を付け、その脚部の底の嵌合凹部に剣山の針部に嵌合させる生け花用補助器や、水を注入した容器内に剣山を置き、剣山に花の茎や枝の幹を挿して固定する方法等がある。
【先行技術文献】
【特許文献】
【０００３】
【特許文献１】特開２００１−５４４５４号公報
【考案の概要】
【考案が解決しようとする課題】
【０００４】
ところで、前記構造の花挿し器付花器では、花器内に設置されている花挿し器は２本の脚部により花器の底面から離れた位置にあり、花を挿し立てる異径の花挿し孔が複数個設けられている。そして、花器の底面には切頭円錐型または円錐型の突起が複数本、整列して配設され、花挿し孔に挿入された幹の下端部は底面に配設された突起により支持され安定して花の向きをセットできるものであるが、花の茎や枝の幹の太さに合わせて花挿し孔に挿し込むためフラワーアレンジメントのレイアウトの自由度が乏しかった。また、花の茎や枝の幹の下端は突起により位置決めされるため動きやすく、花や枝の位置決めに安定性が乏しく、茎や幹の下端は突起で傷付くため水揚げが悪くなって長期間の展示には耐えられなかった。
【０００５】
本考案は、このような問題に鑑みてなされたものであって、その目的とするところは、花の茎や枝の幹等の植物の軸部を安定して保持することができ、花や枝の下端を傷付けることがなく、花や枝の品質を長期間保つことができる植物の保持具を提供することにある。また、前記の植物の保持具を用いて、長期間花や枝の品質を保つことができる花器を提供することにある。
【課題を解決するための手段】
【０００６】
前記目的を達成すべく、本考案に係る植物の保持具は、筒状部と底部とを備える上方開口の容器状のケースと、該ケースの内部空間に水平状態に固定され、植物の軸部が貫通する複数の保持孔を有する保持部材と、を備えることを特徴とする。ケース内に水又は養分を含む液体を入れ、水平状態に固定された保持部材の保持孔に花の茎や枝の幹等の植物の軸部を挿して生け花のアレンジが可能となる。
【０００７】
前記のごとく構成された本考案の植物の保持具では、上方開口の容器状のケースの内部空間に、保持部材を水平状態に固定し、保持部材の複数の保持孔を選んで植物の軸部を挿入するため、保持部材の保持孔に植物の軸部を所望の状態で通して安定して保持することができる。また、植物の軸部を保持する際に、軸部の下端に傷を付けないため、水揚げがよく植物の日持ちを長くすることができる。複数の保持孔から選択した保持孔に植物の軸部を挿入して保持するため、生け花を自由にデザインできる。
【０００８】
また、本考案に係る植物の保持具の好ましい具体的な態様としては、前記保持部材は、前記ケースの内部空間に複数個平行状態に固定されることを特徴としている。この構成によれば、複数個平行に固定された保持部材の所望の保持孔に、植物の軸部を通して花や枝を保持することができるため、保持状態が安定すると共に、花や枝を直立状態や傾斜状態に任意に挿すことができ、多様なデザインの生け花を生けることができる。
【０００９】
また、本考案に係る植物の保持具の好ましい具体的な態様としては、前記ケースの筒状部は、その内周面に内方に向かって突出し、前記保持部材を固定する複数の突起を備えることを特徴としている。この構成によれば、保持部材をケースの筒状部の内部空間に容易に固定することができ、固定状態が安定しているため生け花のデザインを長期間保つことができる。
【００１０】
さらに、本考案に係る植物の保持具の好ましい具体的な他の態様としては、前記保持部材は、前記突起が通過可能の切欠き部を有することを特徴としている。この構成によれば、ケースの筒状部の内周面から突出する突起は、切欠き部を通して保持部材をケースに固定できるため、保持部材のケースへの固定が容易に行える。
【００１１】
他の好ましい態様としては、前記ケースの筒状部は、その上端に前記保持部材を固定する係止溝を備えることを特徴としている。この構成によれば、ケースの筒状部の上端に形成された係止溝に、保持部材を容易に固定できるため、生け花の準備作業が容易に行える。そして、前記ケースの筒状部は、内周方向に突出する円周状の突条を備えることが好ましい。花の茎や枝の幹等の植物の軸部の下端部をケースの筒状部に備えられた円周状の突条に係合させることで、植物の軸部を傾斜状態に保持することができ、生け花のデザインに多様性を持たせることができる。
【００１２】
また、前記ケースの筒状部は、その上部に指等を係合できる取っ手部が貫通して形成されていることが好ましい。この構成によれば、ケースの筒状部に貫通して形成された取っ手部に指等を係合させて、ケースを容易に持ち上げることができ、持ち運びや清掃等が容易に行える。
【００１３】
さらに、前記ケースの底部は、凹凸面で形成され、段差部を有することを特徴としている。この構成によれば、ケースの底部に水分がつき、ケース底部がテーブル等の上面に密着しても、凹凸面の段差部で密着面の面積が小さくなるため、容易に持ち上げることができ、水の交換や清掃が容易に行える。さらにまた、前記ケースは、前記段差部の側面に貫通孔を備えることが好ましい。この構成によれば、ケース内に土や培養土を入れて植物を生育させるとき、段差部の側面に形成された貫通孔を通して水抜きが行え、植物の根腐れを防止することができる。
【００１４】
前記保持部材の保持孔は、ハニカム状に形成されることが好ましい。この構成によれば、保持孔が互い違いに形成できるため、生け花のデザインの自由度を高めることができる。また、本考案に係る花器は、前記の植物の保持具と、該保持具を上部開口から収容可能の容器とから構成されることを特徴としている。この構成によれば、保持具に生けられた生け花の見栄えを向上させることができる。容器を陶器等で形成される重量物で構成すれば、生け花を安定させることができる。
【考案の効果】
【００１５】
本考案の植物の保持具は、生け花を生けるとき、花の茎や、枝の幹等の植物の軸部を適切な位置に保持することができ、素人でも容易にバランス良く生けることができる。また、植物の軸部の下端に傷を付けないため、生け花の日持ちを長くすることができる。
【図面の簡単な説明】
【００１６】
【図１】本考案に係る植物の保持具の一実施形態を示す正面図。
【図２】図１のＡ−Ａ線断面図と、その要部拡大図。
【図３】図１の平面図。
【図４】図１のケース内に固定される保持部材の斜視図。
【図５】（ａ）は図４の保持部材の平面図、（ｂ）は（ａ）のＢ−Ｂ線断面図。
【図６】図１のケース内に２つの保持部材を固定した状態の一部破断斜視図。
【図７】図１〜６に示す植物の保持具を容器に入れ、花や枝を挿した状態の断面図。
【図８】本考案に係る保持具の他の実施形態の断面図。
【図９】図８に示す保持具のケースの斜視図。
【図１０】図８に示す保持具のケースのＣ−Ｃ線断面図。
【図１１】図８に示す植物の保持具に固定される保持部材の斜視図。
【図１２】（ａ）は図１１で示す保持部材の平面図、（ｂ）は（ａ）のＤ−Ｄ線断面図。
【図１３】図８〜１２に示す植物の保持具を容器に入れ、花や枝を挿した状態の断面図。
【考案を実施するための形態】
【００１７】
以下、本考案に係る植物の保持具の一実施形態を図面に基づき詳細に説明する。図１は本実施形態に係る植物の保持具の正面図であり、図２は図１のＡ−Ａ線断面図であり、突起を拡大して示しており、図３は図１の平面図であり、保持部材を二点鎖線で示している。図４は保持部材の斜視図であり、図５は保持部材の平面図とＢ−Ｂ線断面図を示しており、図６はケースの一部を破断した状態の保持具の斜視図である。図１〜６において、この実施形態の植物の保持具１は、容器状のケース２と、２つの保持部材３，４とを備えるものであり、２つの保持部材３，４がケース２の内部空間に平行状態に固定されるものである。
【００１８】
植物の軸部として、生け花の茎や枝の幹等を保持する植物の保持具１は、概略有底円筒状に形成され、外周の筒状部２ａと、この筒状部２ａの底面開口を閉じる底部２ｂとを備える上方開口のケース２を備えている。そして、ケース２の内部空間の上方に水平状態に固定される上部保持部材３と、筒状部２ａの内部空間の下方に水平状態に固定される下方保持部材４とを備えている。ケース２はプラスチック等で形成され、本実施の形態では、内部に水や養分を含む液体等を貯留できる形状となっている。
【００１９】
保持具１のケース２は、筒状部２ａの内周面に内方に向かって突出する上方の３組の突起５と、下方の３組の突起６を１２０度の等間隔で備えている。上方の３組の突起５は、下側突起５Ａと上側突起５Ｂで構成され、下方の３組の突起６は、下側突起６Ａと上側突起６Ｂで構成される。突起５，６は同じ形状であり、図２の拡大図に示すように、下側突起５Ａは断面形状が上部平坦面５ａと下部傾斜面５ｂとで断面三角形状に筒状部２ａと一体的に形成され、上側突起５Ｂは下側突起５Ａを上下反転した形状で下部平坦面と上部傾斜面で形成され、筒状部２ａと同じ肉厚に形成されている。そして、上方の突起５の下側突起５Ａと上側突起５Ｂは、平坦面同士が上部保持部材３の厚さより僅かに大きい寸法で対向して間隙を形成し、この間隙内に上部保持部材３を挟んで固定するものであり、同様に下方の突起６も下側突起と上側突起は間隙を有して対向し、この間隙で下部保持部材４を挟んで固定するものである。
【００２０】
突起５，６は、ケース２をブロー成型で形成できるように、図３の上側の１つの突起は平面視矩形状に形成され、下側の２つの突起は平面視三角形状に形成されて、型抜きができる形状である。上方の突起５は下側突起５Ａの上部平坦面５ａに上部保持部材３を載置し、上側突起５Ｂの下部平坦面で上方への移動を阻止することで、上部保持部材３をケース２の内部空間の上方に位置決め、固定する機能を有し、下方の突起６は下側突起６Ａの上部平坦面に下部保持部材４を載置し、上側突起６Ｂの下部平坦面で上方への移動を阻止してケース２の下方の内部空間に位置決め、固定する機能を有している。なお、保持部材３，４の固定手段として、下側突起と上側突起で挟んで固定する例を示したが、下側突起のみで構成してその上部平坦面上に載置するものでもよい。
【００２１】
保持具１のケース２の底部２ｂは、凹凸面で形成され、凹面と凸面との間が段差部２ｃとなっている。この結果、ケース２をテーブル等の上面に載置したとき、底部２ｂの全面がテーブル等の上面に接触することがなくなり、接触する面は凹凸面の一方のみの少ない面積となっている。凹面を形成する段差部２ｃの形状は特に限定されるものでなく、円形状、矩形状、同心円状、星型、木の葉状、不定形等、適宜の形状で形成されている。本実施の形態では、ケース２は水を収容するものであるが、土を収容する場合のケースは植物の根腐れを防止するための水抜き孔２ｄが側方に向けて開口している。水抜き孔は９０度間隔で４つの貫通孔２ｄが形成されることが好ましい。
【００２２】
保持具１のケース２の筒状部２ａは、その上部に指等を係合できる２つの取っ手部７が貫通して形成されている。２つの取っ手部は１８０度の間隔で対向するように形成されている。取っ手部７は側面視で水平方向に長い長円形に形成され、その長さは５０〜９０ｍｍ程度に、高さは１５〜２０ｍｍ程度に形成され、指を数本挿入できる大きさに設定されている。この取っ手部７は、例えばケース２を持ち上げるときに指等を係合させることができるように構成されている。
【００２３】
上部保持部材３と下部保持部材４はプラスチック等で同じ形状の円盤状に形成され、筒状部２ａの内部空間に収容できる半径で形成されている。本実施の形態では、筒状部２ａの内径より上部保持部材３、下部保持部材４の外径が数ｍｍ程度小さくなるように設定されている。上部保持部材３と下部保持部材４は基本的に同じ形状であり、一方の上部保持部材３について詳細に説明する。
【００２４】
上部保持部材３は外周のリング部３ａと、その内周のハニカムに形成された複数の保持孔３ｂとを備えている。保持孔の形状は、３〜５ｍｍ程度の花の茎や、１０〜１５ｍｍ程度の枝の幹が貫通できる大きさに形成されている。具体的には１辺が１５〜２０ｍｍ程度の六角形の貫通孔が互い違いに連続して形成してあり、実施形態では２７個の正六角形の保持孔３ｂと、リング部３ａに接する複数の不定形の保持孔３ｂが形成されている。複数の保持孔３ｂ内に植物の軸部を貫通させることで、植物の軸部の上部を位置決めして保持できる構成となっている。上部保持部材３は保持孔３ｂが形成された中央部に対して外周のリング部３ａの厚さが大きく形成され、例えば中央部の厚さが２ｍｍ程度で、リング部３ａの厚さが４ｍｍ程度に形成されており、外周が補強された形状となっている。
【００２５】
そして、上部保持部材３の外周のリング部３ａには、外周から窪んだ形状の３つの切欠き部３ｃが１２０度の等間隔で形成されている。この切欠き部３ｃは、ケース２の筒状部２ａから内方に突出形成された複数の突起５，６が通過可能の大きさの略矩形状に形成されている。したがって、筒状部２ａに上部保持部材３を挿入する際に、切欠き部３ｃと上方の突起５とを合わせて挿入すると、上部保持部材３は上方の突起５を通過することができる形状に形成されている。切欠き部の数は３個以上、適宜の個数で形成されている。なお、複数の保持孔３ｂ，４ｂはハニカム状に限られるものでなく、円形、矩形等、適宜の形状とすることができる。
【００２６】
下部保持部材４も同じ形状で、外周のリング部４ａ、複数の保持孔４ｂ、３つの切欠き部４ｃを備えており、複数の保持孔４ｂに植物の軸部を貫通させることで、植物の軸部の下部を位置決めして保持できる構成となっている。そして、３つの切欠き部４ｃは複数の突起５，６を通過できる大きさの矩形状に設定されている。なお、切欠き部は矩形状に限らず、半円形状や三角形状等、適宜の形状とすることができる。
【００２７】
このように構成された本実施形態の植物の保持具１は、図７に示すように、焼き物のつぼ等の容器に収容し、花器１０とすることができる。花器１０を構成する容器１１の上部開口１２は保持具１を収容できる大きさに設定されており、容器１１の高さは、保持具１の高さと同等あるいは僅かに大きく設定されている。すなわち、容器１１の上部開口１２の内径が保持具１の筒状部２ａの外径より僅かに大きく設定され、容器１１の深さと保持具１の高さが略一致あるいは保持具１の高さが僅かに小さくなるように設定されている。
【００２８】
また、保持具１の底部２ｂは容器１１の底面に接触し、筒状部２ａの下方部位が容器１１の底部内周に接触するように保持具１の底部の外形寸法は設定されている。このため、容器１１内に保持具１を挿入し収容したとき、保持具１が容器１１内でがたつかずに収容できる構成となっている。また、ケース２の取っ手部７の部位では、ケース２の筒状部２ａの外径より容器１１の上部開口の内径が大きく設定され、取っ手部７の外周側に間隙が形成され、取っ手部７に指を挿入したとき指の先端が容器１１の内周面から離れるため係合しやすい構成となっている。
【００２９】
前記の如く構成された本実施形態の植物の保持具１の動作について以下に説明する。保持具１に花等を生けるときには、ケース２の上部開口から、下部保持部材４を筒状部２ａの内部空間に水平状態で挿入し、上方の突起５を通過させ、下方の突起６に固定する。この場合、下部保持部材４を水平状態でケース２内に挿入し、切欠き部４ｃと上方の突起５とを合わせて通過させ、下方の突起６の下側突起６Ａと上側突起６Ｂとの間隙で例えば３０度程度回転させて下方の突起６の下側突起６Ａと上側突起６Ｂとの間隙と切欠き部４ｃとをずらした状態で突起６上に載置する。この操作により、下部保持部材４は下方の３組の突起６の下側突起６Ａと上側突起６Ｂとの間隙で挟まれ固定される。
【００３０】
下部保持部材４をケース２内に挿入するとき、水平状態でなく斜めの状態で挿入すると、上方の突起５を容易に通過できるため、切欠き部４ｃと上方の突起５とを合わせる必要がなく、突起５を通過させたあと下方の突起６の下側突起６Ａと上側突起６Ｂとの間隙内で下部保持部材４を水平にすることで、ケース２の下方の突起６に下部保持部材４を容易に保持固定することができる。次いで、上部保持部材３を筒状部２ａの内部空間に水平状態で挿入し、切欠き部３ｃと突起５の下側突起５Ａと上側突起５Ｂとの間隙が一致しない状態で上方の突起５の下側突起６Ａと上側突起６Ｂとの間隙で挟んでケース２内に固定する。
【００３１】
保持具１のケース２内の下方に下部保持部材４を下方の突起６で水平状態に固定し、上方に上部保持部材３を上方の突起５で水平状態に固定したあと、ケース２内に水あるいは栄養分を含む溶液を注入し、図７に示すように花の茎や枝の幹等の植物の軸部を２つの保持部材３，４の保持孔３ｂ，４ｂを通してケース２内に挿入する。２つの保持部材３，４の同じ位置の保持孔に例えば花の茎を通すと、通された花の茎はケース２に対してほぼ垂直の状態に保持され、上下の保持孔３ｂ，４ｂで安定した状態で保持される。
【００３２】
また、上下で異なる保持孔に例えば枝の幹を通すと、ケース２に対して斜めの状態に保持される。保持孔３ｂ，４ｂは正六角形のハニカム状に形成されており、孔が互い違いに並んで形成されるため、植物の軸部を挿す位置の自由度が増すと共に、挿し込まれた軸部が六角形の角部で安定するため、保持状態が安定する。正六角形の保持孔３ｂ，４ｂ内の面積は大きいため、保持孔内に花の茎とともに葉を挿すことで花を安定して保持することができる。
【００３３】
このように、ケース２に対して垂直状態や斜めの状態に花や枝を保持することで、生け花のデザインを変化させることができる。また、花や枝は下端部が剣山等で傷付けられず、ケース２の底面に接触するだけのため水の吸い上げがよく、花や枝の日持ちを長くすることができる。さらに、花や枝は２つの保持部材３，４で上下の部位を保持されるため、保持状態が安定して生け花のデザインを長持ちさせることができる。この保持具１はプラスチック等で軽量に構成することができ、水を入れて重量を増した状態で生け花を行うことができるため、生け花の途中での転倒を防止できる。
【００３４】
一度、保持孔３ｂ，４ｂに花の茎や枝の幹を通して植物の軸部を保持したあと、デザインを変更する場合に植物の軸部を保持孔から抜く必要があるが、保持部材３、４は上下を突起５Ａ，５Ｂあるいは突起６Ａ，６Ｂで挟まれて固定されているため、保持部材３，４は外れずに容易に植物の軸部を抜くことができ、デザインの変更が容易となる。
【００３５】
また、前記のように花や枝を生けた植物の保持具１を、焼き物のつぼ等の容器１１に収容して花器１０とする。保持具１を収容した花器１０は、保持具１が容器１１内に沈み込み、容器１１の上部開口１２から保持具１が外見上は見えない状態となる。このため、プラスチック等のケース２を備える保持具１に生け花を挿した状態と比較して、見栄えが格段に向上する。さらに、水等を入れた保持具１は外側を容器１１で保持され、容器自体が保持具１と比較して重量のあるものとすると花器１０は転倒しにくくなる。容器１１内に保持具１から液体がこぼれてケース２の底部２ｂと容器１１の底面が密着しても、ケース２の底部２ｂは凹凸面で構成されているため密着面積が小さくなり、容器１１から保持具１を容易に取り出すことができる。
【００３６】
そして、前記の花器１０では、つぼ等の容器１１内に直接、水や溶液を入れないため、容器１１内を清潔に保つことができる。そして、水や溶液の交換は保持具１のみを容器１１から取り出して行うことができるため、管理が容易となる。なお、保持具１に花や枝を挿した状態で容器１１内に挿入してもよいが、容器１１内に保持具１を挿入してから水や溶液を注入し、生け花を挿すようにしてもよい。保持具１自体は軽量で安定性が悪いが、つぼ等の重量のある容器１１内に挿入することで安定性が向上する。
【００３７】
本考案の他の実施形態を図８〜１３に基づき詳細に説明する。図８は本考案に係る植物の保持具の他の実施形態の断面図、図９は保持具のケースの斜視図、図１０は保持具のケースのＣ−Ｃ線断面図、図１１は保持部材の斜視図、図１２は保持部材の平面図とＤ−Ｄ線断面図である。なお、この実施形態は前記した実施形態の植物の保持具１が容器状のケース２と、２つの保持部材３，４を備える構成であるのに対し、植物の保持具２１は容器状のケース２２と、１つの保持部材２３とを備えるものであることを特徴とする。そして、他の実質的に同等の構成については同じ符号を付して詳細な説明は省略する。
【００３８】
図８〜１２において、この実施形態の植物の保持具２１は、筒状部２２ａと底部２２ｂとを備える上方開口の容器状に形成されたケース２２を備えている。そして、ケース２２の筒状部２２ａの内周面には、内周方向に突出する２本の円周状の突条２３Ａ，２３Ｂが水平に形成されている。２本の突条２３Ａ，２３Ｂは、ケース２２の高さの３分の１程度の位置と、３分の２程度の位置に形成されており、筒状部２２ａに２本のくびれた溝が形成されている。ケース２２は２本の突条２３Ａ，２３Ｂにより筒状部２２ａが補強され、変形し難い構造となっている。
【００３９】
突条２３Ａ，２３Ｂは図８を参照すれば分かるように、上部傾斜面２３ａと下部平坦面２３ｂで構成され、上部傾斜面２３ａは植物の軸部がケース２２の上部開口より筒状部２２ａの近傍に挿しこまれ突条２３Ａに当接したとき、傾斜面２３ａに沿って挿入を容易にするものであり、下部平坦面２３ｂは斜めに挿し込まれた植物の軸部の下端が係合しやすく外れにくい形状となっている。
【００４０】
ケース２２の底部２２ｂは、筒状部２２ａより外径が大きくなるように全周に拡幅された突部２２ｃが突出形成されている。この突部２２ｃは底面に沿って平坦面で延出するものであり、ケース２２の底面積を増やす機能を有しており、ケース２２を例えば平面上に載置したときの安定性を増すことができるものである。この突部２２ｃは全周にわたって突出し、内部の肉盗みをして筒状部２２ａや底部２２ｂと同じ肉厚に形成している。このケース２２も底部２２ｂに全周にわたって突出する突部２２ｃを有するがブロー成型で形成できる構造となっている。このため、ケース２２内の内容積を大きくすることができ水等の液体の収容量を多くすることができ、重心を下方に移動することができる。
【００４１】
また、ケース２２の底部２２ｂの底面は凹凸面で形成されている。凹凸面は本実施の形態では、一定方向の２本の溝２２ｄにより形成され、ケース２２を平面上に載置したときに底面２２ｅが密着しても持ち上げやすいように、密着面積を少なくしており、密着部分以外に空気層を形成できる。なお、底面２２ｅの凹凸面は２本の溝により形成される例を示したが、円周状の溝や、円形状の凹面、メッシュ状等、適宜の形状とすることができる。
【００４２】
ケース２２の筒状部２２ａの上端には、上方に開口する縦溝状の挿入部２４ａと、この挿入部２４ａに連続して横溝状の係止部２４ｂとからなる係止溝２４が形成されている。挿入部２４ａは垂直に形成され、係止部２４ｂは水平に形成されている。この係止溝２４は、円周上の４個所に９０度の等間隔で形成されており、植物の軸部を保持する保持部材２５を保持するものである。植物の保持具２１は、上方開口のケース２２と、ケースの上部の内部空間に固定される保持部材２５とを備える構成となっている。
【００４３】
本実施の形態の保持部材２５は、基本的には前記の実施の形態の保持部材３，４と同様に、円盤状に形成され、花の茎や枝の幹等の植物の軸部が貫通する複数の保持孔２６を有している。複数の保持孔２６は平面視六角形状のハニカム孔が７個形成され、外周のリング部２５ａとの間には三角状あるいは溝状の貫通孔が形成されている。そして、外周のリング部２５ａから外方に４つの突起２７が突出形成され、その間隔は９０度の等間隔となっている。この突起２７は外周のリング部２５ａから水平に延出する水平部と、この水平部から直角に下方に延出する垂下部からＬ字状に形成されている。突起２７の水平部の幅は係止溝２４の挿入部２４ａの幅より僅かに小さく設定され、突起２７の水平部の厚さは係止部２４ｂの高さより僅かに小さく設定されている。この結果、突起２７は係止溝２４の挿入部２４ａに垂直方向に挿入でき、係止部２４ｂに水平方向に旋回させることができる。
【００４４】
このように構成された本実施の形態の植物の保持具２１は、生け花を生ける際に、上方開口のケース２２の上部に、先ず保持部材２５を固定する。すなわち、保持部材２５の外周から突出する４つの突起２７を４つの係止溝２４の挿入部２４ａに挿入し、その後時計方向に旋回させ、突起２７を係止部２４ｂ内に移動させる。この操作により、ケース２２の上方の内部空間に保持部材２５を固定することができ、保持部材２５を上に持ち上げても簡単には外れず、固定状態が安定する。
【００４５】
このあと、保持具２１をつぼ等の容器３１内に上部開口３２から収容して花器３０を構成する。前記の実施形態と同様に、保持具２１のケース２２に固定された保持部材２５の複数の保持孔２６に花の茎や枝の幹等の植物の軸部を挿入する。このとき、図１３に示すように、挿入した植物の軸部を斜めに傾斜させ、ケース２２の筒状部２２ａから内周側に突出する突条２３Ａ，２３Ｂに軸部の下端を引掛けて係合させると、花や枝は斜めの状態で保持される。
【００４６】
突条２３Ａ，２３Ｂは上部が傾斜面２３ａで植物の軸部を外周に近い保持孔２６に挿し込むとき突き当たることを防止して容易に挿入でき、下部が平坦面２３ｂのため軸部の下端が容易に係合できる。また突条２３Ａ，２３Ｂは上側と下側の二段構成であり、上側の突条２３Ａに軸部の下端を引掛けると水平に近い角度で傾斜し、下側の突条２３Ｂに軸部を引掛けると垂直に近い角度で傾斜する。このように、保持部材２５の保持孔２６の位置と、軸部の下端を突条２３Ａ，２３Ｂに引掛ける位置を変化させることで、所望のデザインとなるように花や枝を生けることができる。突条を２段構成でなく３段構成等とすることで、より多彩なデザインを可能にできる。
【００４７】
この実施形態の植物の保持具２１は、上方開口のケース２２の内部空間に固定した１つの保持部材２５の複数の保持孔２６に花の茎や枝の幹等の植物の軸部を挿入して、花や枝等を所望の形状に生けることができる。生けられた花や枝等は、下端が底部２２ｂに到達する場合は底面あるいは底面の凹部に支持され、中間位置の場合は内周方向に突出する円周状の突条２３Ａ，２３Ｂで傾斜状態に支持され、種々のデザインが可能となると共に、支持状態が安定して生け花のアレンジされたデザインを長期間保つことができる。植物の保持具２１は、花や枝を生け替える際に、保持部材２５は係止溝２４によりケース２２から外れにくいため、生け替えが容易に行える。
【００４８】
また、この実施形態の植物の保持具２１は、前記の実施形態と同様に、ケース２２内に水等の液体を収容して生け花をアレンジすることができ、軽量のケース２２を清掃するだけで管理が容易である。そして、この保持具２１を別の容器３１に収容することで花器３０を構成することができ、ケース２２は容器３１に隠れるため生け花の見栄えを格段に向上させることができる。
【００４９】
なお、前記したケース２２は、底部に水抜き孔（図示せず）を形成することができる。水抜き孔は突部２２ｃの側面に開口することが好ましく、横向きに開口させることで水抜きが容易となる。水抜き孔を形成したケース２２では、水や溶液の代わりに土や培養土を入れ、植物を植え込むことができる。土をケース内に入れて植物を植え込むときも、ケース２２の内部空間に保持部材２５を水平状態に固定し、保持部材２５の複数の保持孔２６に根付きの花や枝を植え込むことで、花や枝をアレンジすることができ、種々のデザインの植物を植え込みが可能となる。
【００５０】
以上、本考案の実施形態について詳述したが、本考案は、前記の実施形態に限定されるものではなく、実用新案登録請求の範囲に記載された本考案の精神を逸脱しない範囲で、種々の設計変更を行うことができるものである。例えば、上方開口の容器状のケースの内部空間に１つ又は２つの保持部材を保持させて、花の茎や枝の幹等の植物の軸部を保持させるように構成したが、３つ以上の保持部材を用いて植物の軸部を保持させるように構成してもよい。
【００５１】
また、保持具を構成するケースと、ケースの内部空間に固定される保持部材との固定手段として、ケースの筒状部から内方に向かって突出する突起の例や、係止溝を備える例を示したが、他の固定手段によって保持具のケースに保持部材を固定するように構成してもよい。さらに、保持部材はケースの内周壁面と離れて、突起上に載置されて固定する構成を示したが、ケースの内周壁面と密着して固定される構成でもよく、圧入状態で固定される構成でもよい。また、固定状態を強固にするために、スナップフィットや爪止め等で固定してもよい。
【００５２】
保持具を構成するケースとして円柱状のケース２，２２の例を示したが、円柱状に限られるものでなく、角柱状等のケースに変更することができる。ケースを角柱状とした場合には、保持部材は角柱状に合わせた形状にすることが望ましい。
【産業上の利用可能性】
【００５３】
本考案の活用例として、前記の植物の保持具を構成するケース内に水や溶液を注入して生け花のアレンジができ、ケース内に液体の代わりに土や培養土を内部空間に入れて植物を植え込むこともできる。土や培養土を入れる場合は、ケースの下部に貫通する水抜き孔を形成することが好ましい。
【符号の説明】
【００５４】
１：植物の保持具、２：ケース、２ａ：筒状部、２ｂ：底部、２ｃ：段差部、２ｄ：水抜き孔（貫通孔）、３：上部保持部材、４：下部保持部材、３ｂ，４ｂ：保持孔、５，６：突起、下側突起：５Ａ，６Ａ、上側突起：５Ｂ，６Ｂ、７：取っ手部、１０：花器、１１：容器、１２：上部開口、２１：植物の保持具、２２：ケース、２２ａ：筒状部、２２ｂ：底部、２３Ａ，２３Ｂ：突条、２４：係止溝、２５：保持部材、２６：保持孔、３０：花器、３１：容器、３２：上部開口
【図１】
0003189573.tif 000003
【図２】
0003189573.tif 000004
【図３】
0003189573.tif 000005
【図４】
0003189573.tif 000006
【図５】
0003189573.tif 000007
【図６】
0003189573.tif 000008
【図７】
0003189573.tif 000009
【図８】
0003189573.tif 000010
【図９】
0003189573.tif 000011
【図１０】
0003189573.tif 000012
【図１１】
0003189573.tif 000013
【図１２】
0003189573.tif 000014
【図１３】
0003189573.tif 000015